(57)【要約】      （修正有）【課題】様々な対象物に引掛け可能な手持ち機器の筐体構造及びその手持ち機器の筐体構造を備えた除電装置を提供する。【解決手段】手持ち機器の筐体構造は、一定方向に延びる本体部２０と、前記本体部の所定の部位から、該本体部の延びる方向と異なる方向に突出するように形成された、手持ちのための握り部分１６を含む突出部１０とを備え、前記本体部と前記突出部との境界部分に、前記本体部の先端側から切り込まれた構造の前記本体部側の面と前記突出部側の面とに挟まれた所定長のスリット部３０が形成されたものである。【選択図】図１
0003223281.tif 000002
【実用新案登録請求の範囲】
【請求項１】
一定方向に延びる本体部と、
前記本体部の所定の部位から、該本体部の延びる方向と異なる方向に突出するように形成された、手持ちのための握り部分を含む突出部と、を備え、
前記本体部と前記突出部との境界部分に、前記本体部の先端側から切り込まれた構造の前記本体部側の面と前記突出部側の面とに挟まれた所定長のスリット部が形成された、
手持ち機器の筐体構造。
【請求項２】
前記スリット部は、前記本体部側の面と前記突出部側の面との間隔が一定である、請求項１に記載の手持ち機器の筐体構造。
【請求項３】
前記スリット部は、前記本体部側の面と前記突出部側の面との間隔が、前記本体部の先端側から徐々に拡大又は縮小している、請求項１に記載の手持ち機器の筐体構造。
【請求項４】
前記突出部は、前記スリット部の前記突出部側の面に滑らかに続き、前記本体部との間隔が徐々に拡大する面を含む傾斜部を有している、請求項１〜３のいずれか一項に記載の手持ち機器の筐体構造。
【請求項５】
請求項１〜４のいずれか一項に記載の手持ち機器の筐体構造を備えた除電装置であって、
前記突出部には、
エアーが流れる流路部、前記流路部を開閉するバルブ、前記バルブを操作するスイッチが収容されており、
前記本体部には、
前記流路部を流れるエアーにより発電する発電部、前記発電部で発電された電源を高圧電源にする高圧発生装置、前記高圧発生装置から供給された高圧電源でイオンを発生させるイオン発生装置、及び、前記流路部を流れるエアーを吐出させるノズルが収容されている、除電装置。
【請求項６】
前記イオン発生装置は放電針を備えており、
前記放電針は前記ノズルの外部に配置されている、請求項５に記載の除電装置。
【考案の詳細な説明】
【技術分野】
【０００１】
本考案は、種々の装置に適用可能な手持ち機器の筐体構造及びその手持ち機器の筐体構造を備えた除電装置に関するものである。
【背景技術】
【０００２】
従来から、手持ち機器の筐体構造を備えた装置が種々開示されている。そのようなものとして、例えば特許文献１には、手持ち機器の筐体構造を備えた除電除塵装置が提案されている。特許文献１には、全体的に拳銃のような形状の手持ち機器の筐体構造が開示されている。このような形状をガンタイプと称する場合がある。ガンタイプとは、一般的に、筒状の本体部の後端側の一部から外周方向に突出させた突出部を備えた構成となっている。ガンタイプであれば、使用者が自身の片手又は両手で、操作をすることが可能になる。
【先行技術文献】
【特許文献】
【０００３】
【特許文献１】特開２０１６−４８６６７号公報
【考案の概要】
【考案が解決しようとする課題】
【０００４】
特許文献１には、商用電源がない場所でも使用できるとともに、操作性が良くしかも小型化も容易な除電除塵装置の一例が開示されている。しかしながら、特許文献１においては、装置を使用していないときの保管の仕方についてまでは記載されていない。
【０００５】
また、本体部の後端部にフック部を設けたり、本体部の後端部に貫通穴を形成したりすることで、対象物に引掛け可能に構成することも考えられる。しかしながら、フック部や貫通穴の場合、引掛ける対象物が限定されてしまうことになる。例えば、フック部であれば、対象物が棒形状のものやフック形状のものになってしまい、貫通穴であれば、対象物がフック形状のものになってしまう。
【０００６】
本考案は、このような事情に鑑みてなされたもので、様々な対象物に引掛け可能な手持ち機器の筐体構造及びその手持ち機器の筐体構造を備えた除電装置を提供するものである。
【課題を解決するための手段】
【０００７】
本考案に係る手持ち機器の筐体構造としては、一定方向に延びる本体部と、前記本体部の所定の部位から、該本体部の延びる方向と異なる方向に突出するように形成された、手持ちのための握り部分を含む突出部と、を備え、前記本体部と前記突出部との境界部分に、前記本体部の先端側から切り込まれた構造の前記本体部側の面と前記突出部側の面とに挟まれた所定長のスリット部が形成された、構成を有している。
【０００８】
このような構成によれば、スリット部を介して手持ち機器の筐体構造を様々な対象物に手軽に引掛けることが可能となる。
【０００９】
本考案に係る手持ち機器の筐体構造において、前記スリット部は、前記本体部側の面と前記突出部側の面との間隔が一定である、構成とすることができる。
このような構成によれば、スリット部に挿入できる対象物を特定の物に限定することがなく、汎用性が高いものとなる。
【００１０】
本考案に係る手持ち機器の筐体構造において、前記スリット部は、前記本体部側の面と前記突出部側の面との間隔が、前記本体部の先端側から徐々に拡大又は縮小している、構成とすることができる。
このような構成によれば、スリット部に挿入できる対象物の範囲をさらに拡大することができるだけでなく、手持ち機器の筐体構造を安定的な引掛けた状態を維持することが可能になる。
【００１１】
本考案に係る手持ち機器の筐体構造において、前記突出部は、前記スリット部の前記突出部側の面に滑らかに続き、前記本体部との間隔が徐々に拡大する面を含む傾斜部を有している、構成とすることができる。
このような構成によれば、傾斜部がガイドとして機能することになり、対象物がスリット部により挿入しやすくなる。
【００１２】
本考案に係る除電装置において、上記の手持ち機器の筐体構造を備えた除電装置であって、前記突出部には、エアーが流れる流路部、前記流路部を開閉するバルブ、前記バルブを操作するスイッチが収容されており、前記本体部には、前記流路部を流れるエアーにより発電する発電部、前記発電部で発電された電源を高圧電源にする高圧発生装置、前記高圧発生装置から供給された高圧電源でイオンを発生させるイオン発生装置、及び、前記流路部を流れるエアーを吐出させるノズルが収容されている、構成を有している。
【００１３】
このような構成によれば、上記の手持ち機器の筐体構造が奏する効果を全部有することになるので、スリット部を介して除電装置を様々な対象物に手軽に引掛けることが可能となる。
【００１４】
本考案に係る除電装置において、前記イオン発生装置は放電針を備えており、前記放電針は前記ノズルの外部に配置されている、構成とすることができる。
このような構成によれば、放電針から生じる塵埃がノズルから吐出するエアーに混入することがない。
【考案の効果】
【００１５】
本考案に係る手持ち機器の筐体構造によれば、本体部と突出部との境界部分にスリット部を形成しているので、スリット部に様々な対象物を挿入することが可能になり、引掛け保持することが可能となる。
【図面の簡単な説明】
【００１６】
【図１】本考案の実施の形態に係る除電装置の概略側面図である。
【図２】本考案の実施の形態に係る除電装置の内部透視図である。
【図３】本考案の実施の形態に係る除電装置の引掛けられた状態を説明するための説明図（その１）である。
【図４】本考案の実施の形態に係る除電装置の引掛けられた状態を説明するための説明図（その２）である。
【考案を実施するための形態】
【００１７】
以下、図に沿って本考案の実施の形態を説明する。
図１は、本考案の実施の形態に係る除電装置１００の概略側面図である。図２は、除電装置１００の内部透視図である。図１及び図２に基づいて、除電装置１００について説明する。
【００１８】
＜除電装置１００の構成＞
図１及び図２に示すように、除電装置１００は、たとえば樹脂製の手持ち機器の筐体構造（以下、筐体１００Ａと称する）を有している。筐体１００Ａは、突出部１０と、本体部２０と、を備えている。筐体１００Ａは、全体的に拳銃のような形状になっている。
【００１９】
本体部２０は、一定方向（紙面左右側）に延びるように形成されている。本体部２０は、筒状に形成され、内部が中空になっている。
突出部１０は、手持ちのための握り部分１６を含んでおり、本体部２０に傾斜するように本体部２０の一部に接続されている。具体的には、図１及び図２に示すように、突出部１０の上方が本体部２０の先端側（紙面左側）に位置し、突出部１０の下方が本体部２０の後端側（紙面右側）に位置するように、突出部１０と本体部２０とが接続されている。
【００２０】
（突出部１０の構成）
突出部１０は、中空状に形成されており、内部に流路部１１、バルブ１２、及び、スイッチ１３などが収容されている。また、突出部１０の下端には、流路部１１と連通するエアー投入部１５が設けられている。さらに、突出部１０の外側には、スイッチ１３を操作するトリガー４０が回動可能に設けられている。
【００２１】
流路部１１は、エアー投入部１５から取り込まれたエアーが流れる部分であり、チューブなどで構成されている。ここでは、流路部１１は、バルブ１２を挟んで上流側に位置する第１流路１１Ａと下流側に位置する第２流路１１Ｂとで構成されている場合を例に示している。ただし、１つの流路で流路部１１を構成してもよい。なお、図２において、流路部１１を流れるエアーを破線矢印Ａで表している。
【００２２】
バルブ１２は、流路部１１に設けられ、トリガー４０の操作によって流路部１１を開閉するものである。トリガー４０が操作されると、バルブ１２が駆動して流路部１１が解放され、トリガー４０の操作が解除されると、バルブ１２が停止して流路部１１が閉塞される。バルブ１２は、流路部１１を開閉できるものであれば特に種類を特定するものではないが、例えば二方弁等で構成するとよい。
【００２３】
スイッチ１３は、トリガー４０の操作をバルブ１２に伝達するものである。
トリガー４０は、ユーザーの操作を受けつける部位であり、突出部１０とともにユーザーに握られる部分である。トリガー４０は、上端部が突出部１０の一部に回転可能に軸支されている。
エアー投入部１５は、流路部１１にエアーを投入する際の入り口となるものである。エアー投入部１５には、例えばエアーホースが接続される。エアーホースは、外部のコンプレッサー又はエアポンプと接続されており、加圧空気を流路部１１に導入可能になっている。
【００２４】
（本体部２０の構成）
本体部２０は、内部に発電部２１、高圧発生装置２３、イオン発生装置２４、及び、ノズル５０が収容されている。また、本体部２０の先端は、開放されている。
【００２５】
発電部２１は、図示省略の回転体が回転自在に収容される収容部２１Ａ、及び、モーター２１Ｃを有している。収容部２１Ａは、突出部１０の流路部１１、特に第２流路１１Ｂと連通し、流れ込むエアーで回転する図示省略の回転体が収容されている。回転体がエアーによって回転し、この回転力がモーター２１Ｃに伝達される。
【００２６】
モーター２１Ｃは、本体部２０の後方（紙面左側）に収容され、図示省略の回転軸を介して伝達された回転体の回転エネルギーを電気エネルギーに変換することで、電気を発生する。モーター２１Ｃは、高圧発生装置２３と電気的に接続されており、モーター２１Ｃでの発電は高圧発生装置２３に送られる。
【００２７】
高圧発生装置２３は、発電部２１で発電された電源を高圧電源としてイオン発生装置２４に供給するものである。高圧発生装置２３は、たとえばモーター２１Ｃから供給される電圧を平滑するコンデンサと、平滑された電圧を昇圧して高圧を出力するトランス２３Ａと、トランス２３Ａの２次側に接続された高圧発生回路と、トランス２３Ａの１次側をＯＮ／ＯＦＦするスイッチング素子と、スイッチング素子を制御するコントローラと、を有している。トランス２３Ａ以外の機器は、回路基板２３Ｂに配設される。
【００２８】
除電装置１００では、モーター２１Ｃで発電される電圧をたとえば３Ｖ〜５０Ｖとしている。コンデンサの種類を特に限定するものではないが、電解コンデンサやセラミックコンデンサやフィルムコンデンサなどを用いることが好ましい。さらに、トランス２３Ａの種類を特に限定するものではないが、圧電トランスを用いることが好ましい。スイッチング素子としては、例えば、ＭＯＳ−ＦＥＴ、バイポーラトランジスタ、ＩＧＢＴなどを用いるとよい。
【００２９】
高圧発生装置２３は、複数のダイオードとコンデンサで構成された整流回路を有し、イオン発生装置２４の放電針２５に接続される。そして、高圧発生装置２３から供給される電力を用いてイオン発生装置２４からイオンが発生することになる。
【００３０】
イオン発生装置２４は、放電針２５を備えており、高圧発生装置２３から供給された高電圧（例えば、ＤＣ５０００Ｖ）によってイオンを発生させる。本体部２０の先端開放部分からは、放電針２５が視認可能になっている。ただし、本体部２０の先端開放部分の開放面積は、ユーザーの指が入らない程度の大きさになっており、安全が確保されている。放電針２５は、ノズル５０の外部、つまりエアーが流れる流路の外側に配置されている。そのため、除電装置１００によれば、放電針２５から生じる塵埃（例えば汚れや摩耗クズなど）が吐出口から吐出するエアーに混入して除電対象の物体に降りかかることを防止することができる。なお、高圧発生装置２３における回路基板２３Ｂ（高圧発生回路等）を経由せずに、トランス２３Ａで昇圧された高電圧（例えば、ＡＣ２０００Ｖ）をイオン発生装置２４の放電針２５に印加してもよい。
【００３１】
ノズル５０は、エアーが流れるエアー流路が形成されており、エアーの流れ上流側の一端が収容部２１Ａに連通し、エアーの流れ下流側の他端が外部に連通している。ノズル５０の他端を開放することで、エアー流路が外部と連通する。ノズル５０の他端の開放部分は、エアーを吐出する吐出口５１として機能する。この吐出口５１は、イオン発生装置２４の放電針２５の先端よりも本体部２０の後方に位置している。また、ノズル５０は、高圧発生装置２３及びイオン発生装置２４の下側に配置されている。ノズル５０は、例えば樹脂や金属を筒状に加工して形成するとよい。
【００３２】
なお、ノズル５０の長さ（エアーの流れ方向の長さ）を特に限定するものではなく、除電装置１００の大きさ、用途、気体の種類などに応じて適宜決定すればよい。
【００３３】
（スリット部３０の構成）
スリット部３０は、突出部１０と本体部２０との境界部分に形成されている。スリット部３０は、本体部２０の先端側から切り込まれた構造を有しており、本体部２０側の面２０Ａと突出部１０側の面１０Ａとに挟まれた所定の長さを有している。つまり、スリット部３０は、筐体１００Ａの先端側及び筐体１００Ａの側面側が開放されている。
【００３４】
スリット部３０を設けたことによって、スリット部３０を介して対象物（図３及び図４参照）に引っ掛けられた筐体１００Ａが、対象物から落ちることなく、対象物に安定的に保持されることになる。なお、面１０Ａと面２０Ａとの間隔は、一定としてもよく、先端側から徐々に拡大又は縮小してもよい。
【００３５】
また、図１及び図２に示すように、突出部１０に、スリット部３０の面１０Ａに滑らかに続き、本体部２０との間隔が徐々に拡大する面を含む傾斜部３５を設けてもよい。傾斜部３５を設けることによって、傾斜部３５がガイドとして機能することになり、対象物がスリット部３０により挿入しやすくなる。
【００３６】
なお、筐体１００Ａを突出部１０と本体部２０とに分けて説明したが、突出部１０と本体部２０とは分離可能に構成してもよいし、一体的に構成してもよい。
また、気体の一例としてエアー（空気）を挙げて説明したが、気体をエアーに限定するものではなく、窒素ガスや二酸化炭素ガスなども利用することができる。
【００３７】
＜除電装置１００の作用＞
まず、ユーザーにより、除電装置１００のエアー投入部１５にエアーホースが接続される。こうすることで、除電装置１００にエアーが導入可能な状態になる。このとき、除電装置１００には、エアーホースのみが外部と接続している。
【００３８】
次に、ユーザーは、静電気が帯電した部材（例えば、携帯電話、テレビ、コンピュータなど）に除電装置１００の本体部２０の先端部分を向ける。このようにしてから、ユーザーは、トリガー４０を操作する。トリガー４０が操作されると、スイッチ１３がオンされて、バルブ１２が突出部１０の流路部１１を開放する。流路部１１が開放されると、流路部１１をエアーが流れることになる。
【００３９】
このとき、本体部２０の収容部２１Ａにおいては、流入したエアーによって回転体が回転する。この回転が回転軸を介してモーター２１Ｃに伝達される。モーター２１Ｃにおいては、回転エネルギーが電気エネルギーに変換されて、電気が発生する。
【００４０】
モーター２１Ｃで発生した電気は、本体部２０の高圧発生装置２３に送られる。高圧発生装置２３では、高圧発生回路で電気を高圧にする。この高圧にされた電気は、イオン発生装置２４に供給される。イオン発生装置２４では、供給された高圧の電気を電源としてイオンを発生させる。具体的には、イオン発生装置２４においては、高圧電源が印加された放電針２５の先端部分と対向電極（図示省略）の間でコロナ放電が起き、イオンを発生させる。
【００４１】
本体部２０においては、収容部２１Ａを経由したエアーがノズル５０のエアー流路に流入する。エアー流路に流入したエアーは、エアー流路を流れ、吐出口５１に至る。吐出口５１は、イオン発生装置２４の放電針２５の下側に位置している。イオン発生装置２４で発生したイオンは、吐出口５１から吐出したエアーに誘引される。
【００４２】
なお、トリガー４０及びスイッチ１３を設けた場合を例に説明したが、これに限定するものではない。例えば、トリガー４０を設けることなく、スイッチ１３を操作可能な構成にしてもよい。あるいは、ボタン操作するものではなく、オン／オフを切り替えることができるスイッチを突出部１０に設け、スイッチ操作によってバルブ操作を行うようにしてもよい。
【００４３】
図３は、除電装置１００の引掛けられた状態を説明するための説明図（その１）である。図４は、除電装置１００の引掛けられた状態を説明するための説明図（その２）である。なお、図３及び図４では、除電装置１００が板状の対象物５００に引掛けられた状態を示している。対象物５００は、スリット部３０に挿入できる厚みがある部材であればよく、特に種類を限定するものではない。例えば、壁、パーティション、網、ディスプレイ、ブックエンド、壁掛けフック、突っ張り棒などが対象物５００の例として挙げられる。
【００４４】
一般的に、除電している最中、除電装置はユーザーの手に握られている。一方、除電していないとき、ユーザーは、除電装置を手から離し、除電装置をどこかに置くことが多い。例えば、ユーザーは、作業台や机、テーブルの上に横向きで除電装置を置くことが考えられる。しかしながら、横向きで除電装置を載置する場合、作業台や机、テーブルの上が煩雑になってしまう。また、除電装置が他の作業の邪魔にもなってしまう。また、フック部あるいは貫通穴を有する除電装置においては、あらかじめ設置してあるフック等に除電装置を引掛けることが考えられる。しかしながら、除電装置用のフック等をあらかじめどこかに設置しておかなければならず、利便性が高いとは言えない。また、引掛けたり、取り外したり、を繰り返す際の手間が増え、使い勝手が高いとは言えない。
【００４５】
一方、除電装置１００によれば、筐体１００Ａにスリット部３０が形成されているので、スリット部３０を介して対象物５００に手軽に引掛けることが可能になる。また、対象物５００を特定の物に限定することがないため、汎用性が高いものとなる。さらに、手軽に除電装置１００を対象物５００に引掛けることができるので、手間がかからず、利便性が高いものとなる。加えて、除電装置１００を使用していない際の保管も簡便となる。
【００４６】
以上、本考案の実施の形態を説明したが、この実施の形態や各部の変形例は、一例として提示したものであり、本考案の範囲を限定することは意図していない。上述したこれら新規な実施の形態は、その他の様々な形態で実施されることが可能であり、本考案の要旨を逸脱しない範囲で、種々の省略、置き換え、変更を行うことができる。これら実施の形態やその変形は、本考案の範囲や要旨に含まれるとともに、実用新案登録請求の範囲に記載された考案に含まれる。
【００４７】
たとえば、実施の形態では、筐体１００Ａが適用可能な装置の一例として除電装置１００を挙げて説明したが、除電装置１００に限定するものではなく、筐体１００Ａが適用可能な装置であればよい。筐体１００Ａが適用可能な装置としては、たとえば、気体、個体、液体、粒体、粉体又はイオンなどを搬送する搬送装置や、気体のみを吐出する装置、液体のみを吐出する装置などに適用することができる。具体的には、除電装置の他、除塵装置、塗布装置、冷却装置、洗浄装置、乾燥装置、あるいは、?離装置が筐体１００Ａの適用可能な装置として挙げられる。
【００４８】
また、筐体１００Ａが装置として適用されていない状態、つまり筐体１００Ａのみの状態であっても、例示した除電装置１００と同様の作用効果が得られる。つまり、対象物５００に筐体１００Ａのみを引掛けることも可能である。
【００４９】
図１及び図２では便宜的に突出部１０と本体部２０との境界を図示したが、突出部１０と本体部２０との境界を図示した部分に限定するものではない。境界の部分が変われば、本体部２０に収容される部材、突出部１０に収容される部材も変わることになる。例えば、本体部２０収容されている一部を突出部１０に収容するようにしてもよい。
【符号の説明】
【００５０】
１０      ：突出部
１０Ａ    ：突出部側の面
１１      ：流路部
１１Ａ    ：第１流路
１１Ｂ    ：第２流路
１２      ：バルブ
１３      ：スイッチ
１５      ：エアー投入部
１６      ：握り部分
２０      ：本体部
２０Ａ    ：本体部側の面
２１      ：発電部
２１Ａ    ：収容部
２１Ｃ    ：モーター
２３      ：高圧発生装置
２３Ａ    ：トランス
２３Ｂ    ：回路基板
２４      ：イオン発生装置
２５      ：放電針
３０      ：スリット部
３５      ：傾斜部
４０      ：トリガー
５０      ：ノズル
５１      ：吐出口
１００    ：除電装置
１００Ａ  ：筐体
５００    ：対象物
【図１】
0003223281.tif 000003
【図２】
0003223281.tif 000004
【図３】
0003223281.tif 000005
【図４】
0003223281.tif 000006